(57)【要約】【課題】搬送機構を傾倒させる新規な構成の抽選装置を提供する。【解決手段】本発明は、抽選用媒体が転がる傾斜面と、前記傾斜面よりも遊戯者側に配置され、前記傾斜面を転がった前記抽選用媒体が入る開口を有する抽選用ポケットと、前記抽選用ポケットから回収された前記抽選用媒体を前記傾斜面に投入可能な位置まで搬送する搬送機構と、前記搬送機構及び前記傾斜面を回転させて、前記搬送機構及び前記傾斜面を、前記傾斜面に前記抽選用媒体を投入するときの第１状態と、前記第１状態に対して前記遊戯者側とは反対側に傾倒した第２状態と、に切り替える駆動機構と、を備えることを特徴とする抽選装置である。【選択図】図１
2014151132.tif 000002
【特許請求の範囲】
【請求項１】
抽選用媒体が転がる傾斜面と、
前記傾斜面よりも遊戯者側に配置され、前記傾斜面を転がった前記抽選用媒体が入る開口を有する抽選用ポケットと、
前記抽選用ポケットから回収された前記抽選用媒体を前記傾斜面に投入可能な位置まで搬送する搬送機構と、
前記搬送機構及び前記傾斜面を回転させて、前記搬送機構及び前記傾斜面を、前記傾斜面に前記抽選用媒体を投入するときの第１状態と、前記第１状態に対して前記遊戯者側とは反対側に傾倒した第２状態と、に切り替える駆動機構と、
を備えることを特徴とする抽選装置。
【請求項２】
請求項１に記載の抽選装置であって、
前記搬送機構が前記第１状態から前記第２状態になるときに、前記抽選用ポケットの前記抽選用媒体を前記搬送機構に至らせる回収路が形成されることを特徴とする抽選装置。
【請求項３】
請求項２に記載の抽選装置であって、
前記搬送機構が前記第１状態から前記第２状態になることに連動して、前記回収路の一部が回転することによって、前記回収路が形成されることを特徴とする抽選装置。
【請求項４】
請求項１〜３のいずれかに記載の抽選装置であって、
前記抽選用ポケットに入った前記抽選用媒体を支持する底板と、
前記底板に対して前記遊戯者側とは反対側に配置された傾斜台と
を備え、
前記搬送機構が前記第１状態から前記第２状態になることに連動して、前記抽選用ポケットが前記遊戯者とは反対側に移動し、前記底板に支持されていた前記抽選用媒体が前記傾斜台を転がり落ちる
ことを特徴とする抽選装置。
【請求項５】
請求項１〜４のいずれかに記載の抽選装置であって、
前記搬送機構は、前記抽選用ポケットから回収された前記抽選用媒体を受け入れる回収口を有し、
前記第２状態での前記回収口の位置は、前記第１状態での前記回収口の位置よりも低い
ことを特徴とする抽選装置。
【発明の詳細な説明】
【技術分野】
【０００１】
本発明は、抽選装置に関する。
【背景技術】
【０００２】
抽選用ボールなどの抽選用媒体の物理的な動きを利用して抽選を行う抽選装置がある。このような抽選装置では、例えば、傾斜面に投入された抽選用媒体が自重により傾斜面を転がり、傾斜面を転がった抽選用媒体が抽選用ポケットに入ったタイミングに応じて抽選が行われる（例えば特許文献１参照）。
【先行技術文献】
【特許文献】
【０００３】
【特許文献１】特開２０１０−１１９６７９号公報
【発明の概要】
【発明が解決しようとする課題】
【０００４】
本発明は、抽選時の演出のため、若しくは抽選用媒体の回収を容易にすることが可能な新規な搬送機構を備えた抽選装置を提供することを目的とする。
【課題を解決するための手段】
【０００５】
上記目的を達成するための主たる発明は、抽選用媒体が転がる傾斜面と、前記傾斜面よりも遊戯者側に配置され、前記傾斜面を転がった前記抽選用媒体が入る開口を有する抽選用ポケットと、前記抽選用ポケットから回収された前記抽選用媒体を前記傾斜面に投入可能な位置まで搬送する搬送機構と、前記搬送機構及び前記傾斜面を回転させて、前記搬送機構及び前記傾斜面を、前記傾斜面に前記抽選用媒体を投入するときの第１状態と、前記第１状態に対して前記遊戯者側とは反対側に傾倒した第２状態と、に切り替える駆動機構と、を備えることを特徴とする抽選装置である。
本発明の他の特徴については、本明細書及び図面の記載により明らかにする。
【図面の簡単な説明】
【０００６】
【図１】図１Ａ及び図１Ｂは、遊戯装置１の中の抽選装置１０の説明図である。
【図２】図２Ａ及び図２Ｂは、抽選装置１０の斜視図である。
【図３】図３Ａは、抽選装置１０の抽選ゲーム開始時の説明図である。図３Ｂは、抽選ゲーム終了時の説明図である。
【図４】図４は、抽選装置１０のブロック図である。
【図５】図５Ａ及び図５Ｂは、回収口４３の位置の説明図である。図５Ａは、第１状態での回収口４３の位置の説明図である。図５Ｂは、第２状態での回収口４３の位置の説明図である。
【図６】図６は、回収路７０を説明するための斜視図である。
【図７】図７Ａ〜図７Ｃは、抽選ゲーム中の抽選用ボールＢの動きの説明図である。図７Ａは、抽選ゲームの開始直後の説明図である。図７Ｂは、抽選用ボールＢの揺動が小さくなったときの説明図である。図７Ｃは、抽選用ボールＢが抽選用ポケット３０に入るときの説明図である。
【発明を実施するための形態】
【０００７】
本明細書及び図面の記載により、少なくとも以下の事項が明らかとなる。
抽選用媒体が転がる傾斜面と、前記傾斜面よりも遊戯者側に配置され、前記傾斜面を転がった前記抽選用媒体が入る開口を有する抽選用ポケットと、前記抽選用ポケットから回収された前記抽選用媒体を前記傾斜面に投入可能な位置まで搬送する搬送機構と、前記搬送機構及び前記傾斜面を回転させて、前記搬送機構及び前記傾斜面を、前記傾斜面に前記抽選用媒体を投入するときの第１状態と、前記第１状態に対して前記遊戯者側とは反対側に傾倒した第２状態と、に切り替える駆動機構と、を備えることを特徴とする抽選装置が明らかとなる。
【０００８】
このような抽選装置によれば、搬送機構を傾倒させて遊戯者の視界の邪魔にならないようにすることができる。
【０００９】
前記搬送機構が前記第１状態から前記第２状態になるときに、前記抽選用ポケットの前記抽選用媒体を前記搬送機構に至らせる回収路が形成されることが望ましい。これにより、省スペース化を図ることができる。
【００１０】
前記搬送機構が前記第１状態から前記第２状態になることに連動して、前記回収路の一部が回転することによって、前記回収路が形成されることが望ましい。これにより、第１状態で抽選用媒体が回収されてしまうことがないように対処することが不要となる。
【００１１】
前記抽選用ポケットに入った前記抽選用媒体を支持する底板と、前記底板に対して前記遊戯者側とは反対側に配置された傾斜台とを備え、前記搬送機構が前記第１状態から前記第２状態になることに連動して、前記抽選用ポケットが前記遊戯者とは反対側に移動し、前記底板に支持されていた前記抽選用媒体が前記傾斜台を転がり落ちることが望ましい。これにより、開口に入った抽選用媒体を回収することが容易になる。
【００１２】
前記搬送機構は、前記抽選用ポケットから回収された前記抽選用媒体を受け入れる回収口を有し、前記第２状態での前記回収口の位置は、前記第１状態での前記回収口の位置よりも低いことが望ましい。これにより、抽選用媒体の回収が容易になるとともに、搬送機構の小型化を図ることができる。
【００１３】
＝＝＝実施形態＝＝＝
＜全体構成＞
図１Ａ及び図１Ｂは、遊戯装置１の中の抽選装置１０の説明図である。図２Ａ及び図２Ｂは、抽選装置１０の斜視図である。図３Ａは、抽選装置１０の抽選ゲーム開始時の説明図である。図３Ｂは、抽選ゲーム終了時の説明図である。図４は、抽選装置１０のブロック図である。
【００１４】
以下の説明では、図２Ａ及び図２Ｂに示すように各方向を定義する。すなわち、重力方向を「上下方向」とし、重力に従って「上」と「下」を定義する。また、抽選装置１０（若しくは遊戯装置１）から見て遊戯者側を「前」とし、逆側を「後」とする。また、上下方向及び前後方向に垂直な方向を「左右方向」とし、遊戯者側から見た時を基準にして「右」と「左」を定義する。
【００１５】
また、以下の説明では、図１Ａ及び図２Ａに示す状態を「第１状態」と呼び、図１Ｂ及び図２Ｂに示す状態を「第２状態」と呼ぶことがある。「第１状態」は、搬送機構４０が傾斜面２０Ａに抽選用ボールＢを投入するときの状態である。「第２状態」は、搬送機構４０が第１状態に対して後側（遊戯者側とは反対側）に傾倒した状態である。図３Ａ及び図３Ｂに示す状態は「第１状態」である。
【００１６】
遊戯装置１は、メダルゲーム装置５と、抽選装置１０と、中央制御部３とを備えている（図４参照）。中央制御部３は、遊戯装置１の全体の制御を統括する制御部である。中央制御部３は、記憶部３Ｂに記憶されているプログラムを演算部３Ａが読み出して実行することによって、遊戯装置１の各構成要素を制御し、各種機能を実現する。特に本実施形態では、中央制御部３は、抽選装置１０の各構成要素（特に駆動機構）を制御して、後述する抽選装置１０の動作を実現する。
【００１７】
メダルゲーム装置５は、遊戯者が遊戯するプレイフィールドを提供する。メダルゲーム装置５は、抽選装置１０よりも前側（遊戯者側）に配置されている。
【００１８】
メダルゲーム装置５は、既定の抽選条件（例えばメダルが所定の入賞口に入ること等）が成立したか否かを判定し、抽選条件の成立時に中央制御部３に条件成立信号を送る。なお、中央制御部３は、条件成立信号を受信すると、抽選装置１０に抽選ゲームを行わせる。メダルゲーム装置５は、抽選ゲームの間に乱数発生部に乱数を発生させ、乱数に応じたシンボル（例えば絵柄）をディスプレイに刻々と表示する。これにより、抽選ゲーム中のメダルゲーム装置５のディスプレイには、スロットが回転するような画面が表示される。
【００１９】
抽選装置１０は、抽選ゲームを行う装置である。抽選装置１０は、中央制御部３からの制御信号に応じて駆動機構（例えばモーター）を駆動して、抽選ゲームを開始する。抽選ゲームでは、図３Ａに示すように抽選用媒体である抽選用ボールＢが傾斜面２０Ａに投入され、抽選用ボールＢが自重により傾斜面２０Ａを転がり、図３Ｂに示すように傾斜面２０Ａを転がった抽選用ボールＢが抽選用ポケット３０に入る。抽選装置１０は、抽選ゲームが終了すると（抽選用ボールＢが抽選用ポケット３０に入ると）、そのタイミングで抽選終了信号を中央制御部３に送る。中央制御部３は、抽選終了信号を受信すると、メダルゲーム装置５にタイミング信号を送る。
【００２０】
メダルゲーム装置５は、中央制御部３からタイミング信号を受信したときの乱数を確定し、確定された乱数に応じてディスプレイに表示するシンボルを静止表示させ、確定された乱数に応じて既定の賞に入賞したか否かを決定する。メダルゲーム装置５は、入賞した賞に応じて遊戯者へのメダル（若しくはクレジット）等の配当を決定し、遊戯者に配当を払い出す。
【００２１】
なお、遊戯装置１は、他にも音響装置７や照明装置９を備えている（図４参照）。中央制御部３は、抽選装置１０の抽選ゲーム中に、音響装置７の音や照明装置９の照明光を制御して演出処理を実行させる。
【００２２】
抽選装置１０は、傾斜面２０Ａを有する斜面形成部２０と、抽選用ポケット３０と、搬送機構４０と、傾倒駆動機構５０とを有する（図１Ａ、図１Ｂ、図２Ａ及び図２Ｂ参照）。
【００２３】
斜面形成部２０は、右側構造部２１と、左側構造部２２と、中央構造部２３とを有する。右側構造部２１は、右側傾斜面２１Ａを有する部材である。左側構造部２２は、左側傾斜面２２Ａを有する部材である。中央構造部２３は、中央傾斜面２３Ａを有する部材である。抽選用ボールＢが転がる傾斜面２０Ａは、右側傾斜面２１Ａ、左側傾斜面２２Ａ及び中央傾斜面２３Ａから構成されている。中央傾斜面２３Ａは、右側傾斜面２１Ａと左側傾斜面２２Ａとの間に配置されており、右側構造部２１、左側構造部２２及び中央構造部２３から構成される傾斜面２０Ａは、中央部が下側に窪んだ碗状の曲面になっている。中央構造部２３は、中央にＶ溝状の誘導面２３１を有している。誘導面２３１は、前側ほど下になるように傾斜しており、抽選用ボールＢを前側の抽選用ポケット３０に向かって誘導する。
【００２４】
右側構造部２１と左側構造部２２は、後側の背面構造部２５によって一体的に連結されている。また、右側構造部２１、左側構造部２２及び背面構造部２５は、搬送機構４０とも一体的に連結されている。右側構造部２１、左側構造部２２、背面構造部２５及び搬送機構４０は、回転軸６３を中心にして回転可能に支持されている。以下の説明では、右側構造部２１、左側構造部２２、背面構造部２５及び搬送機構４０の一体構造物を「傾倒部」と呼ぶことがある。中央構造部２３は、傾倒部のように回転せず、前後方向に平行なガイド６２Ｄに沿って往復移動可能に支持されている。
【００２５】
抽選用ポケット３０は、傾斜面２０Ａを転がった抽選用ボールＢが入る開口３１Ａを有する構造物である。抽選用ポケット３０は、ポケット部３１と、ボール検出センサ３２と、回転駆動機構３３と、一対の障害部３４とを有する。
【００２６】
ポケット部３１は、環状の部材で構成された部位である。環状のポケット部３１は、中央に開口３１Ａを有する。この開口３１Ａに抽選用ボールＢが入ることになる。ポケット部３１は、上下方向に平行な回転軸を中心として回転する回転体になっており、上側から見て反時計方向に回転する。ポケット部３１の回転動作については、後述する。
【００２７】
ボール検出センサ３２は、ポケット部３１の開口３１Ａにボールが入ったことを検出するセンサである。ボール検出センサ３２は、ボール検出時に中央制御部３に検出信号を送り、この検出信号が前述の抽選終了信号となる（図４参照）。
【００２８】
回転駆動機構３３は、ポケット部３１を回転させるための駆動機構である。回転駆動機構３３は、ポケット部３１を回転させる駆動力を発生する回転用モーター３３Ａと、回転用モーター３３Ａの駆動力をポケット部３１に伝達する伝達機構（不図示）とを有する。
【００２９】
障害部３４は、傾斜面２０Ａを転がる抽選用ボールＢがポケット部３１の開口３１Ａに入ることを邪魔する部材である。障害部３４は、ポケット部３１に固定されており、ポケット部３１から上方に突出した部材である。このため、障害部３４は、ポケット部３１とともに回転する。障害部３４は、抽選用ボールＢと接触する接触部３４Ａを有する。接触部３４Ａの外周面は、略円筒面の一部を構成している。接触部３４Ａは、円筒面状の外周面から更に外側に突出した突起３４１を有している。障害部３４がポケット部３１とともに回転し、突起３４１が抽選用ボールＢに接触することによって、傾斜面２０Ａで揺動運動する抽選用ボールＢがＶ溝状の誘導面２３１上で停止しにくくなり、抽選ゲームの抽選時間を長くすることができる。なお、抽選ゲーム時の動作については後述する。
【００３０】
環状のポケット部３１の上部には一対の障害部３４が対向配置されている。接触部３４Ａと接触部３４Ａの間の隙間は、抽選用ボールＢが通過する通路になる。抽選用ボールＢが接触部３４Ａと接触部３４Ａとの間を通過することによって、ポケット部３１の開口３１Ａにボールが入ることになる。
【００３１】
なお、抽選用ポケット３０は背面構造部２５と連結部材２７で連結されている。第１状態から第２状態になるときに背面構造部２５を含む傾倒部が後側に傾倒すると、抽選用ポケット３０が連結部材２７によって後側に引っ張られて、後側に移動する。第２状態から第１状態になるときに、傾倒部が前側に起き上がると、抽選用ポケット３０が連結部材２７によって前側に押されて、前側に移動する。
【００３２】
抽選用ポケット３０は、中央構造部２３と一体的に構成されており、前後方向に平行なガイド６２Ｄに沿って往復移動可能に支持されている。このため、中央構造部２３は、抽選用ポケット３０と一体に前後方向に移動する。
【００３３】
搬送機構４０は、抽選用ポケット３０から回収された抽選用ボールＢを傾斜面２０Ａに投入可能な位置まで搬送（揚送）する機構である。搬送機構４０は、キャリッジ４１と、搬送用モーター４２とを有する。キャリッジ４１は、ボールを昇降させるための台（エレベーター）である。搬送用モーター４２は、キャリッジ４１を昇降させる駆動力を発生するモーターである。搬送機構４０の左下側には、回収された抽選用ボールＢを内部に受け入れる回収口４３が形成されている。搬送機構４０は、回転軸６３を中心に回転可能に支持されている。搬送機構４０の回転軸６３は、左右方向に平行な方向である。
【００３４】
図５Ａ及び図５Ｂは、回収口４３の位置の説明図である。図５Ａは、第１状態での回収口４３の位置の説明図である。図５Ｂは、第２状態での回収口４３の位置の説明図である。
搬送機構４０を含む傾倒部を傾倒させた第２状態での回収口４３の位置は、第１状態での回収口４３の位置よりも低い。回収口４３を低くすることによって、抽選用ボールＢを自重により転がり落として回収することが容易になる。逆に、第１状態での回収口４３の位置は、第２状態での回収口４３の位置（つまり、抽選用ボールＢを回収した位置）よりも高い。このため、回収された抽選用ボールＢを傾斜面２０Ａに再び投入可能な位置まで搬送する搬送距離を短くすることができる。つまり、搬送機構４０のキャリッジ４１の搬送距離を短くでき、搬送機構４０の小型化を図ることができる。
なお、第１状態での回収口４３の位置は回転軸６３よりも高く、第２状態での回収口４３の位置は回転軸６３よりも低い。このように回収口４３及び回転軸６３を配置することによって、回収口４３の高低差を大きくできる。仮に、第１状態及び第２状態のいずれの状態でも回収口４３の位置が回転軸６３よりも低く（若しくは高く）なるように回収口４３及び回転軸６３を配置すると、傾倒部の回転角度が同じだと、回収口４３の高低差は本実施形態よりも低くなる。
【００３５】
また、図５Ａ及び図５Ｂに示すように、回転軸６３は、搬送機構４０の前側に配置されている。このため、仮に回転軸６３が搬送機構４０の下側又は後側に配置した場合と比べると、第２状態で搬送機構４０の一部が回転軸６３の下側に位置するため、第２状態の搬送機構の後端が回転軸６３に近くなる。このため、回転軸６３を搬送機構４０の前側に配置することによって、抽選装置１０の前後方向のスペースを狭めることができる。
【００３６】
傾倒駆動機構５０は、搬送機構４０を含む傾倒部を回転させる駆動機構である。傾倒駆動機構５０は、傾倒部を回転させることによって、傾倒駆動機構５０を、図１Ａ（及び図２Ａ）に示す第１状態と、図１Ｂ（及び図２Ｂ）に示す第２状態とに切り替える。なお、後述するように、傾倒駆動機構５０が搬送機構４０等を回転（傾倒）させて第１状態から第２状態になるときに、抽選用ポケット３０の抽選用ボールＢが自重により転がって搬送機構４０に回収されることになる。
【００３７】
抽選装置１０は、更にベース６１と、フレーム６２と、回収路７０とを有する。
ベース６１は、抽選装置１０を構成する各構成要素の基台である。フレーム６２は、ベース６１上に設けられた枠である。フレーム６２には、背面支持部６２Ａ及び軸支持部６２Ｂが設けられている。背面支持部６２Ａは、第２状態のときに後側に傾倒した背面構造部２５を後側から支持することによって、傾倒部を支持する部材である。軸支持部６２Ｂは、搬送機構４０を回転可能に支持する部材（ベアリング）である。また、フレーム６２には、第１状態のときに抽選用ポケット３０に入った抽選用ボールＢを下から支持する底板６２Ｃが固定されている。また、フレーム６２には、中央構造部２３や抽選用ポケット３０を前後方向に案内するガイド６２Ｄが設けられている。
【００３８】
回収路７０は、抽選用ポケット３０に入った抽選用ボールＢが自重により転がり搬送機構４０の回収口４３に到達するための通路である。図６は、回収路７０を説明するための斜視図である。図６では、一部の部材を不図示にして、回収路７０を示している。回収路７０は、上側傾斜台７１Ａと、下側傾斜台７１Ｂと、衝突板７３とを有する。
【００３９】
上側傾斜台７１Ａは、底板６２Ｃに対して後側（遊戯者側とは反対側）に配置された傾斜した台である。上側傾斜台７１Ａは、第２状態のときに抽選用ポケット３０のポケット部３１の開口３１Ａの下に位置している。また、上側傾斜台７１Ａの前縁は底板６２Ｃの後縁と同じ高さであり、上側傾斜台７１Ａは後下がりに傾斜している。このため、第１状態のときに底板６２Ｃ上にあった抽選用ボールＢは、第２状態のときに、自重により、上側傾斜台７１Ａを後下に向かって転がり落ちることになる。上側傾斜台７１Ａは、底板６２Ｃとともにフレーム６２に固定されている。
【００４０】
下側傾斜台７１Ｂは、第２状態のときに後側ほど下になるように傾斜する台である。第２状態のとき、下側傾斜台７１Ｂの前縁は上側傾斜台７１Ａの後縁よりも後下に位置しており、下側傾斜台７１Ｂは上側傾斜台７１Ａとともに後下がりの傾斜台７１を構成する。下側傾斜台７１Ｂは、フレーム６２に対して回転可能に支持されており、傾倒駆動機構５０によって搬送機構４０とともに回転軸６３を中心に回転する。このため、下側傾斜台７１Ｂは、第１状態のときには、後下がりではなく、その逆に、後上がりに傾斜している。下側傾斜台７１Ｂ（回収路７０の一部）を回転可能にすることによって、省スペース化を図ることができる。
【００４１】
衝突板７３は、上側傾斜台７１Ａ及び下側傾斜台７１Ｂから構成された傾斜台７１を転がり落ちた抽選用ボールＢを衝突させて抽選用ボールＢの移動方向を変えて、抽選用ボールＢを搬送機構４０の回収口４３に誘導する板状の部材である。衝突板７３は、背面構造部２５に設けられている（図２Ｂ参照）。
【００４２】
＜抽選ゲーム時の動作＞
次に、抽選ゲーム時の抽選装置１０の動作について説明する。
【００４３】
抽選ゲームの開始前の抽選装置１０の初期状態（待機状態）は、図１Ｂ及び図２Ｂに示す第２状態である。搬送機構４０を含む傾倒部は後側に傾倒しており、背面構造部２５が背面支持部６２Ａに支持されている。搬送機構４０のキャリッジ４１には回収口４３から回収された抽選用ボールＢがセットされている。
【００４４】
第２状態では、抽選用ポケット３０は、第１状態と比べると後側に位置している。このため、遊戯者は、抽選ゲーム中でないことを把握しやすい。加えて、右側構造部２１及び左側構造部２２も傾倒しているため、傾斜面２０Ａを構成する右側傾斜面２１Ａ及び左側傾斜面２２Ａが後側に向いて遊戯者側から見えないため、遊戯者は、抽選ゲームの状態でないことは容易に把握できる。
【００４５】
中央制御部３は、抽選条件が成立したことを示す条件成立信号をメダルゲーム装置５から受信すると、抽選装置１０に制御信号を送り、抽選装置１０に抽選ゲームを開始させるための準備動作を行わせる。準備動作では、中央制御部３は、傾倒駆動機構５０の傾倒用モーター５１を駆動して、搬送機構４０を含む傾倒部を回転させて、傾倒部を前側に起き上がらせる。傾倒部が前側に起き上がると、連結部材２７によって抽選用ポケット３０及び中央構造部２３が前側に押されて、前側に移動する。これにより、抽選装置１０は、第２状態から、図１Ａ及び図２Ａに示す第１状態に切り替わる。
【００４６】
第１状態に移行するときに、傾倒部が遊戯者側に向かって起き上がり、抽選用ポケット３０が遊戯者側（前側）に迫り出すため、遊戯者に抽選ゲームが開始されるという期待感を演出できる。加えて、第１状態になると、右側傾斜面２１Ａ及び左側傾斜面２２Ａが上向きになり、中央構造部２３の中央傾斜面２３Ａとともに傾斜面２０Ａが組み上がるため、遊戯者は、抽選ゲームが開始されることを容易に把握できる。
【００４７】
また、準備動作において、中央制御部３は、回転駆動機構３３の回転用モーター３３Ａを駆動して、ポケット部３１を回転させる。ポケット部３１の上方には一対の障害部３４が突出して設けられているため、遊戯者は、ポケット部３１が回転したことを視認しやすく、抽選ゲームが開始される期待感をより増幅できる。
【００４８】
準備動作の際に、中央制御部３は、搬送機構４０のキャリッジ４１を上昇させて、抽選用ボールＢを上側に搬送（揚送）する。搬送機構４０の搬送動作は、傾倒部が前側に起き上がる動作中（傾倒部の回転中）に開始されても良いし、傾倒部の回転が停止して第１状態になった後に開始されても良い。
【００４９】
搬送機構４０が第２状態から第１状態になるときに、回収口４３の位置が高くなる（図５Ａ及び図５Ｂ参照）。このため、搬送機構４０が抽選用ボールＢを傾斜面２０Ａに投入可能な位置まで搬送する搬送距離を短くできる。これにより、抽選用ボールＢを傾斜面２０Ａに投入するまでの時間（準備時間）を短くでき、遊戯者に退屈感を与えずに済む。
【００５０】
搬送機構４０が第１状態になった後にキャリッジ４１が最上位置（抽選用ボールＢを傾斜面２０Ａに投入可能な位置）に到達すると、キャリッジ４１上の抽選用ボールＢは、自重によりキャリッジ４１から前側に転がり、右側傾斜面２１Ａに投入され、抽選ゲームが開始される。但し、搬送機構４０に押出機構を設け、遊戯者がメダルゲーム装置５の操作パネルのボタンを押したときに中央制御部３が押出機構を駆動してキャリッジ４１から抽選用ボールＢを押し出すことによって、抽選用ボールＢが右側傾斜面２１Ａに投入されても良い。
【００５１】
図７Ａ〜図７Ｃは、抽選ゲーム中の抽選用ボールＢの動きの説明図である。図７Ａは、抽選ゲームの開始直後の説明図である。図７Ｂは、抽選用ボールＢの揺動が小さくなったときの説明図である。図７Ｃは、抽選用ボールＢが抽選用ポケット３０に入るときの説明図である。
【００５２】
図７Ａに示すように、抽選用ボールＢが傾斜面２０Ａに投入されると、自重により傾斜面２０Ａを転がる。傾斜面２０Ａは、中央部が下側に窪んだ碗状の曲面になっているため、抽選用ボールＢは左右に往復移動（揺動運動）する。抽選用ボールＢが傾斜面２０Ａに投入された直後では、抽選用ボールＢが大きく移動するため、傾斜面２０Ａの中央では抽選用ボールＢの移動速度が速く、中央構造部２３の誘導面２３１を抽選用ボールＢが通過してしまう。この段階では、抽選用ボールＢは主に左右方向に移動し、前側に向かって移動しにくいため、抽選用ボールＢは抽選用ポケット３０に入らない。
【００５３】
しばらく時間が経つと、図７Ｂに示すように、抽選用ボールＢの往復移動が小さくなり、抽選用ボールＢは、主に中央傾斜面２３Ａの中央の誘導面２３１を往復移動する。誘導面２３１は前側ほど下になるように傾斜しているため、抽選用ボールＢは前側の抽選用ポケット３０に向かって誘導される。つまり、この段階では、抽選用ボールＢは左右に往復移動しつつ、前側に向かっても移動しようとする。
【００５４】
その一方、抽選用ポケット３０では障害部３４が回転している。このため、抽選用ボールＢが中央傾斜面２３Ａの中央に位置していても、障害部３４の接触部３４Ａの外周面に接触し、抽選用ボールＢが抽選用ポケット３０に入ることが邪魔される。このため、抽選用ボールＢが抽選用ポケット３０に入るまでの時間（抽選時間）が短時間で終わらずに済み、遊戯者が期待感を抱く時間を維持できる。
【００５５】
加えて、障害部３４が回転しているため、突起３４１が抽選用ボールＢを接線方向に押すことになる。上側から見てポケット部３１が反時計方向に回転していれば、抽選用ボールＢは突起３４１によって左側に押されることになる。このため、抽選用ポケット３０がＶ溝状の誘導面２３１で停止しにくくなり、抽選用ポケット３０の誘導面２３１での往復移動がしばらく継続される。このため、抽選時間をより継続でき、遊戯者が期待感を抱く時間をより維持できる。
【００５６】
更に時間が経つと、図７Ｃに示すように、抽選用ボールＢがＶ溝状の誘導面２３１の中心から左右に移動しなくなる。なお、仮に傾斜面２０Ａの中央が碗状の曲面であれば、回転する突起３４１が抽選用ボールＢを押すことによって抽選用ボールＢが左右に移動してしまうが、本実施形態では誘導面２３１の中央がＶ溝状の誘導面２３１になっているため、この段階では、突起３４１が抽選用ボールＢと接触しても、抽選用ボールＢは左右に移動しにくく、Ｖ溝状の誘導面２３１を後側に移動するだけである。抽選用ボールＢが誘導面２３１の中心から左右に移動しなくなると、抽選用ボールＢは自重によりＶ溝状の誘導面２３１に沿って前側に移動しようとする。そして、一対の障害部３４が回転することによって、接触部３４Ａと接触部３４Ａの隙間が抽選用ボールＢの前側に位置したときに、その隙間を抽選用ボールＢが通過して、抽選用ボールＢが抽選用ポケット３０のポケット部３１の開口３１Ａに入る。このように、傾斜面２０Ａの中央にＶ溝状の誘導面２３１があることによって、抽選時間が長くなり過ぎずに済み、遊戯者に退屈感を与えずに済む。
【００５７】
なお、誘導面２３１を２つの平面で構成するのではなく曲面で構成しても良い。誘導面２３１を曲面で構成した場合には、抽選用ボールＢが接触部３４（及び突起３４１）に接触することによって抽選時間を長くでき、また、抽選用ボールＢが接触部３４（及び突起３４１）に接触したときの抽選用ボールＢの動きが複雑で予想できなくなる。この結果、遊戯者に期待感やワクワク感などの様々な感情を抱かせることが可能になる。誘導面２３１を２つの平面から構成するか、若しくは曲面から構成するかは、遊戯装置１の内容に応じて適宜に採用可能である。
【００５８】
抽選用ポケット３０のポケット部３１の開口３１Ａに抽選用ボールＢが入ると、ボール検出センサ３２は、中央制御部３に検出信号を送る。中央制御部３は、この検出信号（抽選終了信号）を受信すると、メダルゲーム装置５にタイミング信号を送る。メダルゲーム装置５は、中央制御部３からタイミング信号を受信したタイミングに従って、遊戯者の賞を確定する。これにより、抽選ゲームが終了する。
【００５９】
また、中央制御部３は、ボール検出センサ３２から検出信号を受信すると、抽選装置１０の回転駆動機構３３の回転用モーター３３Ａを停止させ、ポケット部３１の回転を停止させる。遊戯者は、ポケット部３１（及び障害部３４）の回転が停止する様子から、抽選ゲームの終了を認識できる。
【００６０】
＜抽選用ボールＢの回収動作＞
抽選ゲームが終了すると、次の抽選ゲームに備えて、抽選用ボールＢを回収する必要がある。以下、抽選用ボールＢの回収動作について説明する。
【００６１】
抽選用ボールＢの回収動作の開始直前の抽選装置１０の状態は、図１Ａ及び図２Ａに示す第１状態である（但し、抽選用ポケット３０の開口３１Ａには抽選用ボールＢが入っている）。抽選用ポケット３０の抽選用ボールＢは、底板６２Ｃによって下から支持されている。
【００６２】
中央制御部３は、回収動作を開始する前に、搬送機構４０のキャリッジ４１を最下位置に移動させる。キャリッジ４１を最下位置に移動させる動作は、抽選ゲームが終了した後に行っても良いが、抽選用ボールＢを傾斜面２０Ａに投入した直後に行われても良い。本実施形態では、抽選用ポケット３０に障害部３４があるため抽選時間が長いので、その抽選時間中に搬送機構４０のキャリッジ４１を最下位置に移動させると良い。これにより、抽選ゲームの終了後、すぐに回収動作を開始できる。
【００６３】
中央制御部３は、抽選装置１０に制御信号を送り、傾倒駆動機構５０の傾倒用モーター５１を駆動して、搬送機構４０を含む傾倒部を回転させて、傾倒部を後側（遊戯者とは反対側）に傾倒させる。傾倒部が後側に傾倒すると、連結部材２７によって抽選用ポケット３０及び中央構造部２３が後側に引っ張られて、後側に移動する。これにより、抽選装置１０は、第１状態から、図１Ｂ及び図２Ｂに示す第２状態に切り替わる。
【００６４】
第２状態に移行するとき、傾倒部が遊戯者から離れるように後側に傾倒し、抽選用ポケット３０が遊戯者から離れるように後側に移動するため、遊戯者に抽選ゲームが終了したことを演出できる。加えて、右側構造部２１及び左側構造部２２が傾倒し、傾斜面２０Ａを構成する右側傾斜面２１Ａ及び左側傾斜面２２Ａが後側に向いて遊戯者側から見えなくなるため、遊戯者は、抽選ゲームが終了したことを容易に把握できる。
【００６５】
搬送機構４０が第１状態から第２状態になるときに、回収口４３の位置が低くなる（図５Ａ及び図５Ｂ参照）。これにより、抽選用ボールＢと回収口４３との高低差が大きくなり、抽選用ボールＢを自重により転がり落として回収することが容易になる。
【００６６】
第２状態に移行するとき、下側傾斜台７１Ｂが傾倒部とともに回転し、下側傾斜台７１Ｂが後下がりに傾斜する。これにより、下側傾斜台７１Ｂの前縁が上側傾斜台７１Ａの後縁よりも後下に位置し、上側傾斜台７１Ａと下側傾斜台７１Ｂとによって傾斜台７１が構成される。また、第２状態に移行するときに背面構造部２５が傾倒し、背面構造部２５の衝突板７３が傾斜台７１の後下に配置される。このようにして、搬送機構４０が第１状態から第２状態になるときに、抽選用ボールＢが自重により転がって搬送機構４０の回収口４３に到達可能な回収路７０が形成される（図６参照）。
【００６７】
抽選用ポケット３０が後側に移動すると、ポケット部３１の開口３１Ａに入っている抽選用ボールＢも後側に向かって底板６２Ｃ上を転がる。そして、底板６２Ｃの後縁よりも後側に抽選用ボールＢが移動すると、底板６２Ｃの後側に配置された上側傾斜台７１Ａを抽選用ボールＢが転がり落ちる。抽選用ボールＢは、傾斜台７１を転がり落ちた後、衝突板７３に衝突し、移動方向を右側に変えられて搬送機構４０の回収口４３に誘導される。環状のポケット部３１から抽選用ボールＢを前後左右方向に取り出すことは構造上困難であり、また、抽選用ボールＢが重いと抽選用ボールＢをポケット部３１から持ち上げて回収することも困難であるが、ポケット部３１の下側に抽選用ボールＢを転がり落とすのであれば、抽選用ポケット３０から抽選用ボールＢを抜き出して回収することが容易である。
【００６８】
この段階では搬送機構４０のキャリッジ４１が最下位置にあるため、回収口４３から搬送機構４０に回収された抽選用ボールＢは、そのままキャリッジ４１上に転がり落ちて、キャリッジ４１にセットされる。これにより、抽選装置１０は、抽選ゲームの開始前の抽選装置１０の初期状態（待機状態）に戻る。
【００６９】
＜小括＞
本実施形態の抽選装置１０は、抽選用媒体である抽選用ボールＢが自重により転がる傾斜面２０Ａと、傾斜面２０Ａを転がった抽選用ボールＢが入る抽選用ポケット３０と、抽選用ポケット３０から回収された抽選用ボールＢを傾斜面２０Ａに投入可能な位置まで搬送する搬送機構４０とを備えている。このような構成の抽選装置１０では、仮に搬送機構４０を遊戯者側に傾倒させてしまうと、遊戯者の興じる遊戯の邪魔になり、例えばメダルゲーム装置５を配置しにくくなる。そこで、本実施形態では、傾倒駆動機構５０は、搬送機構４０を傾倒して第２状態にする際には、搬送機構４０を遊戯者側とは反対側に傾倒させている（図１Ａ及び図１Ｂ参照）。これにより、搬送機構を傾倒させて遊戯者の視界の邪魔にならないようにすることができる。
【００７０】
また、本実施形態では、搬送機構４０が第１状態から第２状態になるときに、回収路７０が形成される。これにより、抽選用ポケット３０の抽選用ボールＢを搬送機構４０に回収させることができる。また、搬送機構４０が第１状態のときには回収路７０が不要なので、第１状態では回収路７０が機能しないように収納できるため、回収路７０の配置の省スペース化を図ることができる。
【００７１】
また、本実施形態では、搬送機構４０が第１状態から第２状態になることに連動して下側傾斜台７１Ｂ（回収路７０の一部）が回転することによって、回収路７０が形成される。これにより、回収路７０の形成に傾倒駆動機構５０を利用することができる。
【００７２】
また、本実施形態では、搬送機構４０が第１状態から第２状態になることに連動して、抽選用ポケット３０が後側（遊戯者とは反対側）に移動し、底板６２Ｃに支持されていた抽選用ボールＢが傾斜台７１を転がり落ちる。これにより、抽選用ポケット３０の開口３１Ａに入っている抽選用ボールＢを抽選用ポケット３０から抜き出して回収することが容易になる。
【００７３】
また、本実施形態では、第２状態での搬送機構４０の回収口４３の位置が、第１状態での回収口４３の位置よりも低い（図５Ａ及び図５Ｂ参照）。これにより、抽選用ボールＢを自重により転がり落として回収することが容易になる。また、第１状態での回収口４３の位置は、抽選用ボールＢを回収した位置よりも高くなるため、搬送機構４０の搬送距離を短くすることができ、搬送機構４０の小型化を図ることができる。
【００７４】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下のような形態も本発明に含まれる。
【００７５】
＜遊戯装置１について＞
前述の実施形態では、遊戯装置１がメダルゲーム装置５を備えていたが、メダルゲームとは異なるプレイフィールドを提供するゲーム装置を備えていても良い。例えば、遊戯装置１がスマートボール装置やパチンコ機を備えていても良い。
【００７６】
また、遊戯装置１は、複数台のゲーム装置を備えていても良い。このように、遊戯装置１が複数のゲーム装置を備えることによって、複数の遊戯者が同時に遊戯に興じることができる。この場合、複数台のゲーム装置のそれぞれに抽選装置１０が設けられても良いし、複数台のゲーム装置で抽選装置１０が共有されても良い。複数台のゲーム装置を円周状に配置する場合、その中心に抽選装置１０を配置し、抽選装置１０全体を回転させて、抽選条件の成立したゲーム装置に抽選装置１０を対向させても良い。
【００７７】
＜回収路７０について＞
前述の実施形態では、搬送機構４０が第１状態から第２状態になることに連動して下側傾斜台７１Ｂ（回収路７０の一部）が回転していた。但し、下側傾斜台７１Ｂを回転させるのではなく、例えば前後方向にスライドするように構成しても良い。
【００７８】
また、前述の実施形態では、搬送機構４０が第１状態から第２状態になることに連動して回収路７０が形成されていた。但し、回収路をフレーム６２に固定配置することも可能である。但し、この場合、傾倒部の動きを阻害しないように回収路を配置する必要があり、回収路の配置の制約が大きく、省スペース化を図りにくい。
【００７９】
＜傾倒部について＞
前述の実施形態では、右側構造部２１、左側構造部２２及び背面構造部２５が搬送機構４０と一体的に構成されており、搬送機構４０とともに右側構造部２１、左側構造部２２及び背面構造部２５が傾倒駆動機構５０によって回転していた。但し、右側構造部２１、左側構造部２２及び背面構造部２５をフレーム６２に固定して、搬送機構４０だけを傾倒させても良い。
【００８０】
＜抽選用ポケット３０について＞
前述の実施形態では、抽選用ポケット３０の障害部３４は突起３４１を有していたが、突起３４１が無くても良い。また、前述の抽選用ポケット３０は、回転する障害部３４を有していたが、障害部３４を無くしてポケット部３１を回転させなくても良い。但し、この場合、抽選時間が短くなる。
【符号の説明】
【００８１】
１  遊戯装置、３  中央制御部、
３Ａ  演算部、３Ｂ  記憶部、
５  メダルゲーム装置、７  音響装置、９  照明装置、
１０  抽選装置、２０  斜面形成部、
２０Ａ  傾斜面、２１  右側構造部、２１Ａ  右側傾斜面、
２２  左側構造部、２２Ａ  左側傾斜面、
２３  中央構造部、２３Ａ  中央傾斜面、２３１  誘導面、
２５  背面構造部、２７  連結部材、
３０  抽選用ポケット、３１  ポケット部、３１Ａ  開口、
３２  ボール検出センサ、３３  回転駆動機構、３３Ａ  回転用モーター、
３４  障害部、３４Ａ  接触部、３４１  突起、
４０  搬送機構、４１  キャリッジ、
４２  搬送用モーター、４３  回収口、
５０  傾倒駆動機構、
６１  ベース、６２  フレーム、
６２Ａ  背面支持部、６２Ｂ  軸支持部、
６２Ｃ  底板、６２Ｄ  ガイド、６３  回転軸、
７０  回収路、７１  傾斜台、
７１Ａ  上側傾斜台、７１Ｂ  下側傾斜台、７３  衝突板
【図１】
2014151132.tif 000003
【図２】
2014151132.tif 000004
【図３】
2014151132.tif 000005
【図４】
2014151132.tif 000006
【図５】
2014151132.tif 000007
【図６】
2014151132.tif 000008
【図７】
2014151132.tif 000009